(57)【要約】      （修正有）【課題】堆積条件の安定性の改善、より良い層品質、ターゲット損傷の減少又は無いこと、及び／又はアーク発生の減少又は無いことが提供され得る真空チャンバ内のスパッタ堆積用のスパッタ堆積源の提供。【解決手段】源は、真空チャンバの壁部１０２、スパッタ堆積中に堆積されるべき材料を供給するターゲット２０、ターゲットにＲＦ電力を供給するためのＲＦ電源、ターゲットをＲＦ電源に接続するための電力コネクタ１２４、及び真空チャンバの内側から真空チャンバの外側に壁部を通って延びる導体ロッド１１０を含み、導体ロッド１１０は、真空チャンバの内側の一つ以上の部品に接続され、かつ導体ロッド１１０は、真空チャンバの外側のＲＦ電源に接続され、導体ロッド１１０を通る定められたＲＦリターンパスを生成するスパッタ堆積用のスパッタ堆積源１００。【選択図】図１
2018162521.tif 000002
【特許請求の範囲】
【請求項１】
真空チャンバ内のスパッタ堆積用のスパッタ堆積源であって、
前記真空チャンバの壁部と、
前記スパッタ堆積中に堆積されるべき材料を供給するターゲットと、
ＲＦ電力を前記ターゲットに供給するためのＲＦ電源と、
前記ターゲットを前記ＲＦ電源に接続するための電力コネクタと、
前記真空チャンバの内側から前記真空チャンバの外側に前記壁部を通って延びる導体ロッドであって、前記真空チャンバの内側の一つ以上の部品に接続され、前記真空チャンバの外側の前記ＲＦ電源に接続され、前記導体ロッドを通る定められたＲＦリターンパスを生成する、導体ロッドと
を含む、スパッタ堆積源。
【請求項２】
前記導体ロッドは、前記真空チャンバの外側及び／又は前記真空チャンバの内側に少なくとも一つのねじ山を有する、請求項１に記載のスパッタ堆積源。
【請求項３】
前記導体ロッドは、リターンパスＲＦ集電金属シートに接続される、請求項１又は２に記載のスパッタ堆積源。
【請求項４】
前記導体ロッドは、前記壁部を通って突き出るように構成された追加的な部分の幅より広い幅のヘッド部を有し、特に、前記導体ロッドの最小幅が、５ｍｍ以上、一般的には、１０ｍｍ以上である、請求項１から３のいずれか一項に記載のスパッタ堆積源。
【請求項５】
前記導体ロッドは、前記壁部への接続のために真空密閉が提供されるようなＯリング用に構成された少なくとも一つの溝を含む、請求項１から４のいずれか一項に記載のスパッタ堆積源。
【請求項６】
前記導体ロッドは、前記ヘッド部に設けられた少なくとも一つの溝を含む、請求項５に記載のスパッタ堆積源。
【請求項７】
前記ＲＦ電源は、前記電力コネクタ及び前記導体ロッドに整合器を経由して接続される、請求項１から６のいずれか一項に記載のスパッタ堆積源。
【請求項８】
前記電力コネクタは、接合ブリッジ及び前記接合ブリッジに接続された、特に前記接合ブリッジにねじ留めされた、ホットパス金属シートを更に含む、請求項１から７のいずれか一項に記載のスパッタ堆積源。
【請求項９】
前記リターンパスＲＦ集電金属シートは、電源金属シートに接続され、特に前記電源金属シートにねじ留めされる、請求項３から８のいずれか一項に記載のスパッタ堆積源。
【請求項１０】
前記導体ロッドは、前記壁部の内側表面を越えて、少なくとも０．８ｍｍだけ、一般的には１ｍｍから３ｍｍだけ突き出て、前記壁部の前記内側表面と前記一つ以上の部品の間に間隙が形成される、請求項１から９のいずれか一項に記載のスパッタ堆積源。
【請求項１１】
前記一つ以上の部品は、少なくとも一つの遮蔽箱を含む、請求項１から１０のいずれか一項に記載のスパッタ堆積源。
【請求項１２】
真空チャンバ内のスパッタ堆積用の装置であって、
請求項１から１１のいずれか一項に記載の、前記真空チャンバ内のスパッタ堆積用のスパッタ堆積源と、
前記真空チャンバと
を含む、装置。
【請求項１３】
前記壁部は、前記真空チャンバに接続された前記源のドアである、請求項１２に記載の装置。
【請求項１４】
真空チャンバ内のスパッタ堆積用の装置を組立てる方法であって、
前記装置の壁部を通って導体ロッドを挿入することと、
前記真空チャンバの内側の少なくとも一つの部品を前記導体ロッドに接続することと、
前記導体ロッドをＲＦ電源に接続して、前記導体ロッドを通る定められたＲＦリターンパスを生成することと
を含む、方法。
【請求項１５】
ターゲットに接続されている接合ブリッジにホットパス金属シートをねじ留めすることを更に含み、
前記導体ロッドをＲＦ電源の前記リターンパスに接続することは、
電源金属シートをリターンパスＲＦ集電金属シートにねじ留めすることを含む、請求項１４に記載の方法。
【発明の詳細な説明】
【技術分野】
【０００１】
［０００１］  本発明の実施形態は、スパッタカソード並びにその作動及び製造方法に関する。実施形態は、真空チャンバ内の堆積用の装置に関する。本発明の実施形態は、具体的には、真空チャンバ内のスパッタ堆積用のスパッタ堆積源、真空チャンバ内のスパッタ堆積用の装置、及び真空チャンバ内のスパッタ堆積用の装置を組立てる方法に関する。
【背景技術】
【０００２】
［０００２］  ＰＶＤプロセスが、例えば、ディスプレイ製造といった幾つかの技術分野で、注目が増大している。幾つかのＰＶＤプロセスについて、良好な堆積速度が、十分な層特性とともに得られ得る。例えば、スパッタリングは、ディスプレイ製造又は他の用途のための一つの重要な堆積プロセスである。スパッタリング、例えばマグネトロンスパッタリング、は、基板、例えばガラス基板又はプラスチック基板をコーティングする技術である。スパッタリングは、プラズマを使用してターゲットをスパッタすることによって、コーティング材料の流れを生成する。この間、材料がプラズマからの高エネルギー粒子との衝突によってターゲットの表面から放出されるプロセスである。スパッタリングは、圧力、電力、ガス、及び磁場などのプラズマパラメータによって制御可能である。真空中で、スパッタされた材料が、ターゲットから一つ以上の基板又は仕掛品の方に向かって進み、その表面に付着する。金属、半導体及び誘電体材料を含む多様な材料が、所望の仕様でスパッタされることができる。このように、マグネトロンスパッタリングは、半導体処理、光学的コーティング、食品包装、磁気記録、及び摩耗保護コーティングを含む様々な用途で受入れられてきた。
【０００３】
［０００３］  マグネトロンスパッタリングデバイスは、ガスの中にエネルギーを入れて、プラズマを発生させ維持するための電源、イオンの運動を制御するための磁気要素、及びプラズマによるスパッタリングを通じてコーティング材料を発生させるためのターゲットを含む。スパッタリングは、異なる電気的、磁気的、及び機械的構成を有する多様なデバイスで成し遂げられる。構成は、プラズマを生成するための、ＤＣ若しくはＡＣ電磁場又は高周波エネルギーの源を含む。詳細には、非導電性材料は、ＲＦスパッタリング方法を用いてスパッタされ得る。
【０００４】
［０００４］  ＲＦ−ＰＶＤが、複数の用途、例えば、非導電性材料のスパッタリングのために望ましい。しかしながら、ＲＦスパッタリングプロセスは、アーク及び寄生プラズマをしばしば発生させる。ＲＦスパッタリング用の装置及びシステムの組立て及び試運転の間の莫大な個々の努力とともに、これらの問題を解決しようとする試みがなされてきた。
【発明の概要】
【０００５】
［０００５］  上記を踏まえて、独立請求項１による、真空チャンバ内のスパッタ堆積用のスパッタ堆積源、請求項１２による、真空チャンバ内のスパッタ堆積用の装置、及び独立請求項１４による、真空チャンバ内のスパッタ堆積用の装置を組立てる方法が、提供される。本発明の更なる態様、利点及び特徴が、従属請求項、明細書、及び添付の図面から明らかとなる。
【０００６】
［０００６］  一つの実施形態では、真空チャンバ内のスパッタ堆積用のスパッタ堆積源が提供される。源は、真空チャンバの壁部、スパッタ堆積中に堆積されるべき材料を供給するターゲット、ターゲットにＲＦ電力を供給するためのＲＦ電源、ターゲットをＲＦ電源に接続するための電力コネクタ、及び真空チャンバの内側から真空チャンバの外側に壁部を通って延びる導体ロッドを含み、導体ロッドは、真空チャンバの内側の一つ以上の部品に接続され、かつ導体ロッドは、真空チャンバの外側のＲＦ電源に接続され、導体ロッドを通る定められたＲＦリターンパスを生成する。
【０００７】
［０００７］  他の実施形態では、真空チャンバ内のスパッタ堆積用の装置が提供される。本装置は、真空チャンバ内のスパッタ堆積用のスパッタ堆積源、及び真空チャンバを含む。源は、真空チャンバの壁部、スパッタ堆積中に堆積されるべき材料を供給するターゲット、ターゲットにＲＦ電力を供給するためのＲＦ電源、ターゲットをＲＦ電源に接続するための電力コネクタ、及び真空チャンバの内側から真空チャンバの外側に壁部を通って延びる導体ロッドを含み、導体ロッドは、真空チャンバの内側の一つ以上の部品に接続され、かつ導体ロッドは、真空チャンバの外側のＲＦ電源に接続され、導体ロッドを通る定められたＲＦリターンパスを生成する。
【０００８】
［０００８］  別の実施形態では、真空チャンバ内のスパッタ堆積用の装置を組立てる方法が、提供される。本方法は、装置の壁部を通って導体ロッドを挿入すること、真空チャンバの内側の少なくとも一つの部品を導体ロッドに接続すること、及び導体ロッドをＲＦ電源のリターンパスに接続することを含む。
【０００９】
［０００９］  本発明の上述の特徴が詳細に理解できるように、上記で簡単に要約した本発明のより詳細な説明が、実施形態を参照することによって得られ得る。添付の図面は、本発明の実施形態に関し、以下に説明される。
【図面の簡単な説明】
【００１０】
【図１】本書に記載された実施形態による、定められたＲＦリターンパスを有するスパッタ堆積源の概略図を示す。
【図２】本書に記載された実施形態による、定められたＲＦリターンパスを含むスパッタ堆積源と整合器の、後ろ側からの概略透視図を示す。
【図３Ａ】図１の概略拡大図を示す。
【図３Ｂ】図３Ａと類似の拡大図を示し、定められたリターンパスの更なる修正が、本書に記載された実施形態により、提供される。
【図４】本書に記載された実施形態による、定められたＲＦリターンパスを含むスパッタ堆積源を有するスパッタ堆積装置を示す。
【図５】本書に記載された実施形態による、定められたＲＦリターンパスを含む、更に別のスパッタ堆積源を示す。
【図６】スパッタ堆積用装置を組立てる方法を示す。
【発明を実施するための形態】
【００１１】
［００１７］  次に、本発明の様々な実施形態への言及が詳細になされ、それの一つ以上の例が、図に示される。図面についての以下の記述の中で、同じ参照番号は、同じ構成要素を指す。一般に、個々の実施形態に関する相違のみが、記載される。各々の例は、本発明の説明のために提供され、本発明の限定を意図しない。更に、一つの実施形態の一部として図示又は記載された特徴は、他の実施形態において又は他の実施形態と共に用いて、更に別の実施形態を生み出すことができる。本記述はそのような修正及び変形を含むことが意図される。
【００１２】
［００１８］  本書で、ＲＦ電力、ＲＦ電源、及びＲＦ電流に言及するとき、時折、それぞれ「ホットパス（ｈｏｔ  ｐａｔｈ）」及び「リターンパス（ｒｅｔｕｒｎ  ｐａｔｈ）」が参照される。それにより、リターンパスは、ＡＣネットワーク中の中性線に匹敵する。ホットパスは、ＡＣネットワーク中で電力を駆動する導体に匹敵する。
【００１３】
［００１９］  図１は、真空チャンバ内のスパッタ堆積用のスパッタ堆積源１００を示す。スパッタ堆積源は、堆積装置の真空チャンバの壁部１０２を含む。幾つかの実施形態によれば、壁部１０２は、真空チャンバ全体の一部であり得る。他の実施形態によれば、真空チャンバの壁部は、真空チャンバに設けられているスパッタ堆積源１００のドアであってもよく、ドアは、真空チャンバの一部を形成する。従って、ドアは、真空チャンバの壁部でもあり得る。
【００１４】
［００２０］  スパッタ堆積源１００は、ターゲット２０を含む。図１に例示的に示されるように、スパッタ堆積源は、通常、マグネトロンを含むこともできる。マグネトロンは、スパッタ堆積中にプラズマを閉じ込めるために、通常、永久磁石によって提供される、磁石アセンブリである。本書に記載された他の実施形態と結合できる代表的な実施形態によれば、マグネトロン３０は、ターゲット２０の表面の上を少なくとも一方向に移動させることができる。それによって、ターゲット上のレーストラックが、有利に影響され、例えば、ターゲット２０の交換が必要になる前に使用できるターゲット材料の量を増加させることができる。
【００１５】
［００２１］  例えば、非導電性材料のスパッタリング又は高抵抗（例えば、１０６Ｏｈｍ  ｃｍ）の材料のスパッタリングなどの、多くの応用が、ＲＦスパッタリングで実施されることができる。それにより、ＲＦスパッタリングは、速いスパッタ速度を提供する。しかしながら、ＲＦスパッタリングにとって、ターゲットに電力を供給することは、困難である。一般に、ＲＦ電源は、整合器に接続される。整合器は、電源の内部抵抗をプラズマの負荷インピーダンスに適合させる。
【００１６】
［００２２］  ＲＦ電源の「ホット」導体が、ターゲットに接続される。通常のＲＦスパッタ堆積源では、ＲＦ電力のリターンパスが、真空チャンバの構成要素又は源の構成要素、例えばホルダ、によって提供される。すなわち、整合器へのリターンパスは、不確定になっている。導体中のＲＦ電流の侵入深さは浅いので（表皮効果）、電流は表面に沿って流れ、例えば、ノッチ、２つの部品間の電気的接続部、及び真空堆積源及び／又は真空チャンバの他の機械的部分によって妨げられる。これは、チャンバ及びスパッタ堆積用の装置の中に実装された部品の内部での制御されない局所放電をもたらし得る。そのような部品は、例えば、キャリア、ターゲット、基板等であり得る。局所放電は、例えばハードアーク又はマイクロアークなどのアークの発生、及び寄生プラズマをもたらし得る。
【００１７】
［００２３］  本書に記載された実施形態によれば、ＲＦ電流のリターンパスが確定される。ＲＦ電流のリターンパスを確定させることにより、上記問題の一つ以上が低減し、又は解決さえする。従って、堆積条件の安定性の改善、より良い層品質、ターゲット損傷の減少又は無いことさえも、及び／又はアーク発生の減少又は無いことさえもが、本書に記載された実施形態によって提供され得る。本書に記載された他の実施形態と結合できる幾つかの実施形態によれば、ＲＦ周波数は、５ＭＨｚから３０ＭＨｚの間の範囲であり得、代表的には１３．５６ＭＨｚであり得る。
【００１８】
［００２４］  図１に示されるように、通常は整合器を経由して電源からＲＦ電力を供給するための「ホット」ＲＦパスは、接合ブリッジ１２２及び幾つかのコネクタ１２４によって提供される。通常、コネクタは、ターゲット２０にＲＦ電力を供給するための、ターゲットのバッキング板に（例えば対称的に）接続される。整合器電力コネクタが、ホットパス金属シート２２２によって提供される。例えば、ホットパス金属シートは、堆積源及び／又はスパッタ堆積用装置の組立て中に、接合ブリッジ１２２にねじ留めされる。
【００１９】
［００２５］  本書に記載された実施形態によれば、リターンパスは、一つ以上の導体ロッド１１０によって提供される。更に別の実施態様によれば、導体ロッドは、リターンパスＲＦ集電金属シート１１２に接続することができる。本書に記載された他の実施形態と結合できる、更に別の実施態様によれば、リターンパスＲＦ集電金属シート１１２が、電源金属シート２１３及び２１２に提供され、整合器及び／又は電源へのＲＦ電流のリターンパスを提供することができる。
【００２０】
［００２６］  本書に記載された実施形態によれば、それぞれ、ＲＦ電力をターゲット２０に導くための、並びにターゲット２０から整合器及び電源に導くための、例えば、ホットパス金属シート、リターンパスＲＦ集電金属シート、電源金属シート、並びに他の金属シートといった、一つ以上の金属シートが設けられる。通常、それらの金属シートは、銀、銅、アルミニウム、金及びそれらの組合せからなる群から選択された材料で作られることができる。本書に記載された他の実施形態と結合できる、更に別の実施形態によれば、金属シートは、少なくとも０．１ｍｍ、一般的には１ｍｍから５ｍｍの厚さを有することができ、及び／又は１０ｍｍ以上、一般的には２０ｍｍから７０ｍｍの幅を有することができる。それにより、表皮効果のために導体中で少ない侵入深さを有するＲＦ電流は、それぞれ電源又は整合器から、それぞれ整合器又は電源に、有利に導かれることができる。
【００２１】
［００２７］  本書に記載された他の実施形態と結合できる、更に別の実施形態によれば、本書に記載された金属シートは、例えば、銅又は銀又は金でコーティングされることができる。電流は導体に深く侵入しないので、表面での良導電性が望まれる。例えば、金属シートは、ステンレス鋼を含むこともでき、銀層又は銅層でコーティングされる。それにより、費用及び材料強度のような面も、考慮することができる。
【００２２】
［００２８］  更に別の実施形態によれば、金属シートの幅及び／又は厚さに加えて又はそれらの代わりに、表面積の広さを考慮することができる。例えば、単位長さ当たりの表面の広さは、２２ｍｍ2／ｍｍ以上、すなわち金属シートの１ミリメートル長当たり２２ｍｍ2以上とすることができる。
【００２３】
［００２９］  図２は、真空チャンバ内のスパッタ堆積用のスパッタ堆積源の概略透視図を示し、図３Ａ／Ｂは、スパッタ堆積源の拡大断面図を示す。図２に示すように、整合器２３０が設けられる。整合器２３０が、整合器ドア２３２に接続されることができる。整合器ドア２３２は、図２において開位置に示されており、例えば図２の矢印で示されるように、閉じることができる。整合器２３０は、ホットパス金属シート２２２及びＲＦ電流のための定められたリターンパスを提供するための電源金属シート２１２に接続される。図２に、ターゲット２０の裏側が示されている。更に、ターゲット２０へのホットパスを提供するための接合ブリッジ１２２及びコネクタ１２４が示される。導体ロッド１１０が設けられ、リターンパスＲＦ集電金属シート１１２が、導体ロッド１１０に接続される。
【００２４】
［００３０］  本書に記載された他の実施形態と結合できる、幾つかの実施形態によれば、ＲＦ電流に適当な導電パスを提供するために、一つ以上の金属シート１１２が、隣接する部品にねじ留めされることができる。図３Ａと図３Ｂに例示的に示されるように、リターンパスＲＦ集電金属シート１１２は、ねじ３５２で導体ロッド１１０に接続される。導体ロッド１１０は、真空チャンバの壁部１０２を通って真空チャンバの内側（図３Ａ及び図３Ｂでは下側）から真空チャンバの外側（図３Ａ及び図３Ｂでは上側）に延びる。それに応じて、本書に記載された実施形態の代表的な修正は、一つ以上のねじ山３１１が設けられている導体ロッド１１０を含む。それにより、金属シート又は他の部品が、ＲＦ電流に適当なリターンパスを提供するために、導体ロッドにねじ留めされることができる。
【００２５】
［００３１］  本書に記載された他の実施形態と結合できる、代表的な実施形態によれば、導体ロッド１１０は、第一の部分３１０、図３Ａと図３Ｂでは上側部分、及び第二の部分３１２、図３Ａと図３Ｂでは下側部分、を有する。第一の部分３１０は、第二の部分３１２と比べて広い。従って、導体ロッド１１０は、壁部１０２の開口に挿入されるように構成される。導体ロッド１１０は、それにより、真空チャンバの内側から真空チャンバの外側に延びる。代表的な例によれば、第一の部分３１０は、溝３１４を含むことができ、その中にＯリングを挿入して、工業技術的真空のための真空密閉を提供することができる。
【００２６】
［００３２］  代表的な実施形態によれば、絶縁体３６０を、導体ロッド１１０と壁部１０２の間に設けることができる。図３Ａの例に示されるように、絶縁体３６０もまた、Ｏリングを受けるための溝を含むことができる。あるいは、図３Ｂに示されるように、導体ロッドは、チャンバ壁の中に直接に設けられることができる。それにより、更なる電気的接続、すなわち、真空チャンバの、すなわち、真空チャンバの壁の、リターンパスが、提供される。従って、リターンパスへのチャンバ壁の分離した接続は、妥当性が低下するかもしれない。
【００２７】
［００３３］  溝３１４の代替として、導体ロッド１１０の第一の部分３１０は、真空密閉を提供するように構成された粗さのある表面を有することができる。その表面が、溝３１４の代わりに設けられることができる。そのような代替において、絶縁体３６０（図２Ａ参照）又は壁部１０２（図３Ｂ参照）の上端に、それぞれの溝を設けることができ、導体ロッド１１０はシール面を提供する。
【００２８】
［００３４］  本書に記載された他の実施形態と結合できる、幾つかの実施形態によれば、導体ロッド１１０の第二の部分３１２もまた、ねじ３５４を受けるための一つのねじ山３１３又は２つ以上のねじ山３１３を含むことができる。それにより、真空チャンバの中に設けられた部品１４０が、導体ロッド１１０に接続され、定められたＲＦリターンパスを提供することができる。例えば、部品１４０は、要素３４４、３４２及び３４６を有する遮蔽箱であってもよい。遮蔽箱は、更に、プラズマを閉じ込めることができる。遮蔽箱及び／又は他の部品などの部品１４０が、導体ロッド１１０に接続され、ＲＦリターンパスを提供する。一般的には、遮蔽箱、シールド、チャンバ壁部、プロセスガス用導管、真空チャンバハウジングそれ自体、及び基板用の搬送又は支持システムからなる群から選択される要素のうちの一つ以上が、導体ロッドに接続されることができる。
【００２９】
［００３５］  図３Ａ及び図３Ｂに示されるように、本書に記載された他の実施形態と結合できる実施形態によれば、導体ロッド１１０は、壁部１０２を越えて延びる。それにより、間隙３３４が、設けられる。更に、部品１４０は、暗室領域３３２が設けられるように、導体ロッド１１０に取り付けられる。間隙３３４及び／又は暗室領域３３２は、壁部１０２又は隣接する部品までの間隔が、０．５ｍｍ以上であるように、設けられる。例えば、間隙３３４は、０．８ｍｍから１．５ｍｍであり得、暗室領域３３２は、１．５ｍｍから３ｍｍ、例えば約２ｍｍであり得る。間隙３３４及び暗室領域３３２の寸法は、ＲＦリターンパスの表面電流を考慮する。更に、それらの間隙は、これらの領域の中でアーク発生又は寄生プラズマを減少させるような寸法に作られる。
【００３０】
［００３６］  図２及び図３は、導体ロッド１１０の実施形態を示す。導体ロッドは、「ＲＦソード」とも表示され得る。図２で、導体ロッド１１０は、ターゲット２０の表面に沿って延びるリターンパスＲＦ集電金属シート１１２の下にある。図３Ａと図３Ｂに示される断面図に見られるように、第二の部分３１２が、壁部１０２を通って突き出る。
【００３１】
［００３７］  一つの実施形態によれば、導体ロッド１１０も、ターゲットの表面、長さ又は寸法に沿って延びることができる。追加的又は代替的に、２つ以上の短い導体ロッドが、設けられることができる。細長い導体ロッドに対して、一つの代替によれば、第二の部分３１２は、本質的に導体ロッド１１０の全長に沿って延びることができる。本書に記載された他の実施形態と結合できる、他の実施形態によれば、第二の部分３１２は、導体ロッド１１０の長さに沿って配分される２つ以上の棒又は柱であってもよい。
【００３２】
［００３８］  本書に記載された他の実施形態とも結合できる、更に別の実施態様によれば、２つ以上の導体ロッドを設けることができる。それにより、例えば、一つの導体ロッドの長さを減らすことができる。例えば、導体ロッドの各々が、正方形又は円形であってもよいであろうし、複数の導体ロッド１１０が設けられる。更に、図２に示されるような、リターンパスＲＦ集電金属シート１１２の長さに沿って延びる導体ロッド１１０に加えて、短い導体ロッド１１０、すなわち、一つの寸法においてターゲットの長さの少なくとも５０％に沿って延びる導体ロッド、が設けられてもよい。
【００３３】
［００３９］  図３Ａと図３Ｂの拡大概略図は、ターゲット２０の支持体３２０を更に示す。一般に、支持体３２０は、絶縁体３６２を介して壁部１０２に取り付けられる。例えば、絶縁体３６２は、Ｏリングが挿入できるように、溝３２４を有することができる。それにより、真空密閉が提供されるので、スパッタ堆積装置の真空チャンバを工業技術的真空にすることができる。
【００３４】
［００４０］  図４は、真空チャンバ５０１の中でのスパッタ堆積用の装置５００を示す。真空チャンバ５０１は、フランジ５０４を通って真空にすることができる。一般的には、更なるフランジ５０４を真空チャンバの他の場所に設けることができる。ターゲット２０からの材料でコーティングされるべき基板５０２が、基板支持体５１０によって支持される。図２に示される実施形態は、２つのスパッタ堆積源を含む。図４に示されるように、スパッタ堆積源は、最上部から下方にターゲット２０の材料をスパッタするために、基板５０２の上方に設けることができる。代替的に、スパッタ堆積の構成は、ボトムアップにすることができる。本書に記載された他の実施形態と結合できる、更に別の実施形態によれば、基板５０２は、スパッタ堆積用装置の中に垂直に配置されることもできる。それによって、基板５０２は、ローラで又はキャリアで支持されることができ、キャリアは、ローラ又は他の搬送及び／又は支持システムによって支持される。それによって、基板は、本質的に垂直に、すなわち、垂直配置から＋−１０°のずれで配向される。それに応じて、そのような垂直配置において、スパッタ堆積源１００は、装置５００の側壁に又は側壁に隣接して配置される。
【００３５】
［００４１］  図４に概略的に示されるように、スパッタ堆積源１００の各々が、電源５３０、すなわちＲＦ電源、を含む。電源５３０は、整合器２３０に接続される。整合器２３０は、様々な金属シート、例えば、ホットパス金属シート２２２を経由して、それぞれ接合ブリッジ、コネクタ及びターゲット２０へＲＦ電力を供給する。定められたＲＦリターンパスが、リターンパスＲＦ集電金属シート１１２に接続されている導体ロッド１１０によって提供される。更なる任意選択の金属シートが、整合器２３０及び従って電源５３０へのリターンパスを提供する。
【００３６】
［００４２］  図４に示される各々のスパッタ堆積源１００は、真空チャンバ内のスパッタ堆積用である。スパッタ堆積源１００は、ターゲット２０を含む。図４に例示的に示されるように、スパッタ堆積源は、通常、マグネトロンを含むこともできる。本書に記載された他の実施形態と結合できる代表的な実施形態によれば、マグネトロン３０は、ターゲット２０の表面の上を少なくとも一方向に移動させることができる。
【００３７】
［００４３］  ＲＦ電源の「ホット」導体が、ターゲットに接続される。通常のＲＦスパッタ堆積源では、ＲＦ電力のリターンパスが、真空チャンバの構成要素又は源の構成要素、例えばホルダ、によって提供される。すなわち、整合器へのリターンパスは、定められていない。本書に記載された実施形態によれば、ＲＦ電流のための定められたリターンパスが提供される。図４にも示されるように、通常は整合器を経由して電源からＲＦ電力を供給するための「ホット」ＲＦパスが、接合ブリッジ及び幾つかのコネクタ１２４によって提供される。通常、コネクタは、ターゲット２０にＲＦ電力を供給するための、ターゲットのバッキング板又はターゲット用支持体に接続される。整合器電力コネクタが、ホットパス金属シート２２２によって提供される。本書に記載された実施形態によれば、定められたリターンパスが、一つ以上の導体ロッド１１０によって提供される。更に別の実施態様によれば、導体ロッドは、リターンパスＲＦ集電金属シート１１２に接続されることができる。本書に記載された他の実施形態と結合できる、更に別の実施態様によれば、リターンパスＲＦ集電金属シート１１２が、電源金属シートに提供され、整合器及び／又は電源へのＲＦ電流のリターンパスを提供することができる。
【００３８】
［００４４］  図５は、スパッタ堆積源の更に別の例を示す。図５に示されたスパッタ堆積源は、回転可能なターゲット６２０を含む。回転可能なターゲット６２０は、支持体６０２によって支持される。一般に、支持体６０２は、回転可能なターゲット６２０を回転させるための手段を含むこともできる。例えば、回転させるための手段は、アクチュエータ、駆動ベルト、ドライブトレーン、又はターゲットを回転させるように構成されたモータを含むことができる。支持体６０２は、通常、整合器２３０からターゲット６２０に電力を供給するためのコネクタも含む。図５に示された実施形態において、導体ロッド１１０、集電シート１１２並びに金属シート６１２及び２１２が、支持体６０２の外側に示されている。それにもかかわらず、壁部１０２を通って延びる導体ロッドによってとりわけ提供されるＲＦ電流のリターンパスは、支持体６０２のハウジングの中に統合することもできる。
【００３９】
［００４５］  図６は、真空チャンバ内のスパッタ堆積用の装置を組立てる方法を示す。それによると、ステップ７０２において、導体ロッドが、装置の壁部及び／又はスパッタ堆積源を通って挿入される。ステップ７０４において、少なくとも一つの部品が、真空チャンバの内側で導体ロッドに接続され、導体ロッドは、真空チャンバの外側で整合器及び／又は電源に接続される。
【００４０】
［００４６］  上記を踏まえて、ＲＦスパッタリング又はＲＦスパッタリングと他のスパッタリング方法、例えば、ＤＣスパッタリング、パルススパッタリング、若しくは中波スパッタリング、との組合せを利用する用途が、本書に記載された実施形態を利用することができる。それにより、ターゲットがスパッタされるＲＦ電力のための、定められたリターンパスを提供することによって、アーク発生及び寄生プラズマを低減又は回避することさえできる。
【００４１】
［００４７］  一つの実施形態では、真空チャンバ内のスパッタ堆積用のスパッタ堆積源が提供される。源は、真空チャンバの壁部、スパッタ堆積中に堆積されるべき材料を供給するターゲット、ターゲットにＲＦ電力を供給するためのＲＦ電源、ターゲットをＲＦ電源に接続するための電力コネクタ、及び真空チャンバの内側から真空チャンバの外側に壁部を通って延びる導体ロッドを含み、導体ロッドは、真空チャンバの内側の一つ以上の部品に接続され、かつ導体ロッドは、真空チャンバの外側のＲＦ電源に接続され、導体ロッドを通る定められたＲＦリターンパスを生成する。導体ロッドは、例えば一つ以上の金属シートと組合わせて、リターンパスの一部を提供する。互いに対して追加的に又は代替的に提供され得る代表的な修正によれば、導体ロッドは、真空チャンバの外側及び／又は真空チャンバの内側に少なくとも一つのねじ山を有することができ、及び／又は導体ロッドは、リターンパスＲＦ集電金属シートに接続されることができ、導体ロッドは、壁部を通って突き出るように構成された追加的な部分の幅より広い幅のヘッド部を有することができ、詳細には、導体ロッドの最小幅は、５ｍｍ以上、一般的には、１０ｍｍ以上である。本書に記載された他の実施形態と結合できる、更に別の実施形態によれば、導体ロッドは、Ｏリング用に構成された少なくとも一つの溝、例えば、ヘッド部に設けられた少なくとも一つの溝、を含むことができ、これにより、壁部への接続のための真空密閉が提供され、ＲＦ電源が、電力コネクタ及び導体ロッドに整合器を経由して接続され、及び／又は電力コネクタは、接合ブリッジ及び接合ブリッジに接続された、詳細には、接合ブリッジにねじ留めされたホットパス金属シートを更に含む。例えば、リターンパスＲＦ集電金属シートが、電源金属シートに接続され、詳細には、電源金属シートにねじ留めされる。更に別の任意選択の修正によれば、導体ロッドは、壁部の内側表面を越えて、少なくとも０．８ｍｍだけ、一般的には、１ｍｍから３ｍｍだけ突き出て、壁部の内側表面と一つ以上の部品の間に間隙を形成することができる。
【００４２】
［００４８］  他の実施形態では、真空チャンバ内のスパッタ堆積用の装置が提供される。本装置は、本書に記載された任意の実施形態による、真空チャンバ内のスパッタ堆積用のスパッタ堆積源、及び真空チャンバを含む。例えば、壁部は、真空チャンバに接続された源のドアであってもよい。
【００４３】
［００４９］  更に別の実施形態では、真空チャンバ内のスパッタ堆積用の装置を組立てる方法が、提供される。本方法は、装置の壁部を通って導体ロッドを挿入すること、真空チャンバの内側の少なくとも一つの部品を導体ロッドに接続すること、及び導体ロッドをＲＦ電源のリターンパスに接続することを含む。例えば、本方法は、ターゲットに接続されている接合ブリッジにホットパス金属シートをねじ留めすることを更に含み、導体ロッドをＲＦ電源のリターンパスに接続することは、電源金属シートをリターンパスＲＦ集電金属シートにねじ留めすることを含む。
【００４４】
［００５０］  上記は本発明の実施形態を対象とするが、本発明の基本的な範囲から逸脱することなく、本発明の他の更なる実施形態を考え出すこともでき、本発明の範囲は、以下の特許請求の範囲によって決定される。
【図１】
2018162521.tif 000003
【図２】
2018162521.tif 000004
【図３Ａ】
2018162521.tif 000005
【図３Ｂ】
2018162521.tif 000006
【図４】
2018162521.tif 000007
【図５】
2018162521.tif 000008
【図６】
2018162521.tif 000009
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
真空チャンバ内のスパッタ堆積用のスパッタ堆積源（１００）であって、
前記真空チャンバの壁部（１０２）と、
前記スパッタ堆積中に堆積されるべき材料を供給するターゲット（２０）と、
ＲＦ電力を前記ターゲットに供給するためのＲＦ電源と、
前記ターゲットを前記ＲＦ電源に接続するための電力コネクタ（２２２）と、
前記真空チャンバの内部から壁部を経て外部へと伸びる導体ロッド（１１０；３１０、３１２）とを備え、
前記導体ロッド（１１０；３１０、３１２）は、前記真空チャンバの内側では一つ以上の部品（１４０）に接続され、前記真空チャンバの外側では前記ＲＦ電源に接続されて、内部にＲＦ電流のリターンパスを確定し、
前記一つ以上の部品は遮蔽箱（３４２）を備え、
前記遮蔽箱（３４２）と前記導体ロッド（１１０；３１０、３１２）との接続に関して、前記遮蔽箱（３４２）と前記真空チャンバの壁部（１０２）との間に間隙（３３４）が形成されている、スパッタ堆積源。
【請求項２】
前記導体ロッドは、リターンパスＲＦ集電金属シートに接続される、請求項１に記載のスパッタ堆積源。
【請求項３】
前記導体ロッドは、前記壁部を通って突き出るように構成された追加的な部分の幅より広い幅のヘッド部を有する、請求項１または２に記載のスパッタ堆積源。
【請求項４】
前記導体ロッドは、前記壁部への接続のために真空密閉が提供されるようなＯリング用に構成された少なくとも一つの溝を含む、請求項１から３のいずれか一項に記載のスパッタ堆積源。
【請求項５】
前記導体ロッドのヘッド部には少なくとも一つの溝が設けられている、請求項４に記載のスパッタ堆積源。
【請求項６】
前記ＲＦ電源は、前記電力コネクタ及び前記導体ロッドに整合器を経由して接続される、請求項１から５のいずれか一項に記載のスパッタ堆積源。
【請求項７】
前記電力コネクタは、接合ブリッジ及び前記接合ブリッジに接続またはねじ留めされたホットパス金属シートを更に含む、請求項１から６のいずれか一項に記載のスパッタ堆積源。
【請求項８】
前記リターンパスＲＦ集電金属シートは、電源金属シートに接続またはねじ留めされる、請求項２から７のいずれか一項に記載のスパッタ堆積源。
【請求項９】
前記導体ロッドは、前記壁部の内側表面を越えて、少なくとも０．８ｍｍだけ突き出て、前記壁部の前記内側表面と前記一つ以上の部品の間に間隙が形成される、請求項１から８のいずれか一項に記載のスパッタ堆積源。
【請求項１０】
前記一つ以上の部品は、少なくとも一つの遮蔽箱を含む、請求項１から９のいずれか一項に記載のスパッタ堆積源。
【請求項１１】
前記導体ロッドは、前記真空チャンバの外側及び／又は前記真空チャンバの内側に少なくとも一つのねじ山を有する、請求項１から１０のいずれか一項に記載のスパッタ堆積源。
【請求項１２】
真空チャンバ内のスパッタ堆積用の装置であって、
請求項１から１１のいずれか一項に記載の、前記真空チャンバ内のスパッタ堆積用のスパッタ堆積源と、
前記真空チャンバと
を含む、装置。
【請求項１３】
前記壁部は、前記真空チャンバに接続された前記スパッタ堆積源のドアである、請求項１２に記載の装置。
【請求項１４】
請求項１２に記載の真空チャンバ内のスパッタ堆積用の装置を組立てる方法であって、
前記真空チャンバの壁部（１０２）を通って導体ロッド（１１０；３１０、３１２）を挿入することと、
前記真空チャンバの内側の一以上の部品（１４０）を前記導体ロッド（１１０；３１０、３１２）に接続することと、
前記導体ロッド（１１０）をＲＦ電源に接続して、前記導体ロッドを通る確定されたＲＦリターンパスを生成することと
を含み、
前記一つ以上の部品（１４０）は遮蔽箱（３４２）を備え、
前記遮蔽箱（３４２）と前記導体ロッド（１１０；３１０、３１２）との接続に関して、前記遮蔽箱（３４２）と前記前記真空チャンバの壁部（１０２）との間に間隙（３３４）が形成されている、方法。
【請求項１５】
ターゲットに接続されている接合ブリッジにホットパス金属シートをねじ留めすることを更に含み、
前記導体ロッドをＲＦ電源の前記リターンパスに接続することは、
電源金属シートをリターンパスＲＦ集電金属シートにねじ留めすることを含む、請求項１４に記載の方法。
【外国語明細書】
2018162521000001.pdf